(57)【要約】【課題】  メダルを手投入できる他、メダルを自動投入することができ、メダル投入の煩わしさを解消することができる自動メダル貸機付き遊技機を提供する。【解決手段】  メダルを遊技媒体とし、同メダルをメダル投入口から投入して遊技を行う遊技機において、上記遊技機１の前面に上記メダルを手で投入する手メダル投入口６を設けるとともに、同手メダル投入口６以外に少なくとも１以上の第２のメダル投入口８を上記遊技機１本体の側面、前面、上面、下面又は背面に設け、上記第２のメダル投入口８に対して自動メダル貸機１４を接続した自動メダル貸機付き遊技機。【選択図】図１
2005205239.tif 000002
【特許請求の範囲】
【請求項１】
メダルを遊技媒体とし、同メダルをメダル投入口から投入して遊技を行う遊技機において、
上記遊技機の前面に上記メダルを手で投入する手メダル投入口を設けるとともに、同手メダル投入口以外に少なくとも１以上の第２のメダル投入口を上記遊技機本体の側面、前面、上面、下面又は背面に設け、上記第２のメダル投入口に対して自動メダル貸機を接続したことを特徴とする自動メダル貸機付き遊技機。
【請求項２】
メダルを遊技媒体とし、同メダルをメダル投入口から投入して遊技を行う遊技機において、
上記遊技機の前面に上記メダルを手で投入する手メダル投入口を設けるとともに、同手メダル投入口以外に第２のメダル投入口を上記遊技機本体の前面に設け、上記第２のメダル投入口に対して自動メダル貸機を接続したことを特徴とする自動メダル貸機付き遊技機。
【発明の詳細な説明】
【技術分野】
【０００１】
本発明は、メダルを遊技媒体とし、同メダルをメダル投入口から投入して遊技を行う、例えばスロットマシン等の遊技機において、特にそのメダル投入の改善を図った自動メダル貸機付き遊技機に関するものである。
【背景技術】
【０００２】
通常、メダルを遊技媒体とするスロットマシン等の遊技機においては、遊技機の前面に遊技者が手でメダルを投入するメダル投入口が設けられており、遊技する際に、隣接して設置されている台間メダル貸機あるいは遊技場内に設置されているメダル貸機から貸し出したメダルを、このメダル投入口から手で一枚一枚投入することによって遊技している。
【０００３】
このような従来の遊技機で遊技するには、まず遊技場に入った遊技者が台間メダル貸機あるいは遊技場内に設置されているメダル貸機等に紙幣を入れてメダルを貸し出し、このメダルを手に取って遊技機のメダル投入口から一枚づつ投入して遊技を行わなければならず、手によるメダル投入動作を必要とするため、以下のような問題を有している。
【０００４】
（１）メダル投入に時間がかかるとともに、受け皿からメダルを１個づつ取り上げて投入する動作が面倒であり、遊技に集中することができない。
（２）また、メダル投入に時間がかかる分、スピーディーに遊技することができず、遊技回数が増やすことができない。
（３）メダルに手を触れる必要があるため、メダルが汚れている場合に、それが気になる。
【発明の開示】
【発明が解決しようとする課題】
【０００５】
本発明は、以上の問題に対処するためになされたものであり、その課題は、メダルを手投入できる他、メダルを自動投入できるようにすることにより、メダルの手投入を不要とし、メダル投入の煩わしさを解消することができる自動メダル貸機付き遊技機を提供することにある。
【課題を解決するための手段】
【０００６】
上記した課題を解決するため、本発明にかかる自動メダル貸機付き遊技機は、メダルを遊技媒体とし、同メダルをメダル投入口から投入して遊技を行う遊技機において、上記遊技機の前面に上記メダルを手で投入する手メダル投入口を設けるとともに、同手メダル投入口以外に少なくとも１以上の第２のメダル投入口を上記遊技機本体の側面、前面、上面、下面又は背面に設け、上記第２のメダル投入口に対して自動メダル貸機を接続したことを特徴とするもので、第２のメダル投入口に接続した自動メダル貸機からメダルを自動投入することによって、煩わしいメダル投入動作を無くすることができるため、時間内における遊技回数を増大させることができる。
【０００７】
また、本発明にかかる自動メダル貸機付き遊技機は、メダルを遊技媒体とし、同メダルをメダル投入口から投入して遊技を行う遊技機において、上記遊技機の前面に上記メダルを手で投入する手メダル投入口を設けるとともに、同手メダル投入口以外に第２のメダル投入口を上記遊技機本体の前面に設け、上記第２のメダル投入口に対して自動メダル貸機を接続したことを特徴とするもので、第２のメダル投入口に接続した自動メダル貸機からメダルを自動投入することによって、煩わしいメダル投入動作を無くすることができるため、時間内における遊技回数を増大させることができる。
【発明の効果】
【０００８】
本発明にかかる自動メダル貸機付き遊技機によると、手メダル投入口以外に少なくとも１以上の第２のメダル投入口を設け、この第２のメダル投入口に対して自動メダル貸機を接続しているため、この自動メダル貸機からメダルを自動投入することができるようになり、手による煩わしいメダル投入動作を無くすることができる。
このため、以下のような効果を期待することができる。
【０００９】
（１）手による煩わしいメダル投入動作から解放され、遊技に集中することができる。
（２）メダル投入に手を使わなくて済み、スピーディーに遊技することができるため、遊技回数が増やすことができる。
（３）メダルに手を触れる必要がなくなるため、メダルの汚れ等が全く気にかからなくなる。
【発明を実施するための最良の形態】
【００１０】
以下に本発明の実施の形態を図１乃至図４に基づいて説明する。
図１は本発明にかかる第２のメダル投入口を側面に設けた場合における遊技機の正面図、図２は図１に示す遊技機の側面図、図３は本発明にかかる第２のメダル投入口を側面に設けた場合における自動メダル貸機付き遊技機の正面図、図４は図３に示す自動メダル貸機付き遊技機の一部を破断した側面図である。
【００１１】
図１及び図２中において、遊技機の一例としてのスロットマシン１は、その本体の前面に表示窓２と、この表示窓２に表示される絵柄の付いた回転自在な複数のリール３と、このリール３を回転させるレバー４と、回転したリール３を停止するストップボタン５と、メダルＭを手で投入する手メダル投入口６と、払い出された勝ちメダルＭを受ける受け皿７等が具備している。
【００１２】
このスロットマシン１は、スロットマシン島に設置されている台間メダル貸機に紙幣を挿入してメダルＭを貸し出し、このメダルＭを手メダル投入口６から一枚づつ手で投入した後、レバー４を操作してリール３を回転させ、リール３の回転をストップボタン５で停止させた際に当たり絵柄になったとき、受け皿７に勝ちメダルＭが払い出されるよう構成されている。
【００１３】
そして、このようなスロットマシンでは、一般的にメダルＭを手で投入する手メダル投入口６が、スロットマシン１前面のメダルを投入し易い位置に１箇所だけ設けられているのが通常であるが、この実施形態にかかるスロットマシン１では、前面の手メダル投入口６以外に少なくとも１以上の第２のメダル投入口８がスロットマシン１本体の側面に設けられている。
【００１４】
第２のメダル投入口８は、図示のようにスロットマシン１本体の側面に設けることができる他、前面、上面、下面、背面等のいずれに設けてもよい。
【００１５】
この第２のメダル投入口８は、自動メダル投入口として機能するもので、各種の自動メダル投入機が接続できるようになっており、この第２のメダル投入口８に連なるメダル通路９と手メダル投入口６に連なるメダル通路１０は合流し、両投入口からのメダルＭをカウントするカウントセンサー１１を設けた合流通路１２を介してホッパータンクに連なるよう構成されている。
【００１６】
しかして、上記のスロットマシン１によると、従来と同様に前面に設けられている手メダル投入口６からメダルＭを一枚づつ手で投入しながら遊技することができるスロットマシン１として使用できる他、第２のメダル投入口８に各種の自動メダル投入機を接続することによって、メダル投入を自動化することが可能なスロットマシン１としても使用することができ、１台のマシンで両方のニーズに対応することができる。
従って、別仕様のスロットマシンを製造する必要がなく、１台のマシンを共用することができるため、量産効果によりコストダウンを図ることができる。
【００１７】
次に、第２のメダル投入口８に自動メダル投入機を接続した自動メダル貸機付き遊技機としてのスロットマシンを図３及び図４に基づいて説明する。
この自動メダル貸機付き遊技機としてのスロットマシン１３は、上記と同構成の自動メダル投入用の第２のメダル投入口８を備えたスロットマシン１の側面に自動メダル貸機１４を一体的に設け、そのメダル払出し口を第２のメダル投入口８に接続することによって、メダルの自動投入を可能にするとともに、クレジットメダル数表示部分１５を具備している。
【００１８】
上記の自動メダル貸機１４は、図示されていないメダル供給機から供給されるメダルＭを受けるメダル供給口１６と、このメダル供給口１６の下方に接続されたメダル払出しホッパー１７と、紙幣挿入口１８と、紙幣格納庫１９と、メダル計数投入口２０と、メダル計数ホッパー２１と、メダル計数スタートボタン２２と、メダル排出口２３と、カードリーダライタ機構２４と、勝ちメダル数表示部分２５と、操作パネル２６と、制御部２７と、メダル払出し口２８とを具備しており、メダル払出し口２８がメダル投入シュート２９を介してスロットマシン１側面の第２のメダル投入口８に接続されている。
【００１９】
この自動メダル貸機１４は、計数機能付きであり、スロットマシン１の受け皿７に溜まったメダルＭをメダル計数投入口１９から投入し、メダル計数スタートボタン２２を押すことによって、メダル計数ホッパー２１にてメダルＭは計数され、計数し終わったメダルＭはメダル排出口２３から図示していないメダル補給機の貯留タンクに戻され、そこから図示されていないメダル供給機に搬送されるようになっており、メダル計数ホッパー２１にて計数されたメダルＭの数は、制御部２７で制御され、勝ちメダル数表示部分２５に表示されるとともに、カードリーダライタ機構２４によりカードに記憶されるようになっている。
【００２０】
しかして、メダル払出しホッパー１７から払出されるメダルＭは、メダル払出し口２８からメダル投入シュート２９を経てスロットマシン１の第２のメダル投入口８に投入されるようになっているため、手による煩わしいメダル投入動作を不要にし、メダルＭを自動投入することができる。
このメダルＭの自動投入方法としては、以下の２つの方法が考えられる。
【００２１】
その一つは、スロットマシンのクレジットメダル数表示部分１８に表示されているクレジットメダル数が減少してきたら、遊技者が操作パネル２６中のメダル投入ボタン（投入枚数に応じたボタンを選択して）を押して、メダルＭを自動投入する方法であり、他の一つは、スロットマシンのクレジットメダル数を検出するセンサーを設けておき、クレジットメダル数が減少して一定量以下になったとき、その検出信号によってメダルＭを自動投入する方法であり、この場合は操作パネル２６中のメダル投入ボタンの操作をも不要とすることができる。
【００２２】
一方、勝ちメダルＭの中から上記のようにしてメダルＭが自動投入されると、制御部２７によりカードリーダライタ機構２４が制御され、カードに記憶されている勝ちメダルＭの数が減少されるようになっている。
なお、勝ちメダル数は制御部２７に記憶されており、カードを入れなくても必要枚数のメダルＭを受け皿７に戻すことができるとともに、勝ちメダル数を一旦カードに記憶させても必要枚数のメダルＭを受け皿７に戻すことができるようになっている。
【００２３】
そして、ゲーム終了時にカードリーダライタ機構２４にカードを挿入し、操作パネル２６中の精算ボタンを押すことによって、勝ちメダルＭの枚数をカードに書き込むことができ、このカードを景品カウンターに持って行くことにより、所望の景品と交換することができる。
【００２４】
従って、上記した自動メダル貸機付きのスロットマシン１３によると、メダルＭの投入に煩わされることなく、遊技に集中することができる。
また、メダルＭの投入に手を使わなくても済むため、スピーディーに遊技をすることができるとともに、メダルが汚れている場合にも、汚れを気にせずに遊技することができるようになる。
【図面の簡単な説明】
【００２５】
【図１】本発明にかかる第２のメダル投入口を側面に設けた場合における遊技機の正面図である。
【図２】図１に示す遊技機の側面図である。
【図３】本発明にかかる第２のメダル投入口を側面に設けた場合における自動メダル貸機付き遊技機の正面図である。
【図４】図３に示す自動メダル貸機付き遊技機の一部を破断した側面図である。
【符号の説明】
【００２６】
１，１３…スロットマシン、６…手メダル投入口、８…第２のメダル投入口、１４…自動メダル貸機
【図１】
2005205239.tif 000003
【図２】
2005205239.tif 000004
【図３】
2005205239.tif 000005
【図４】
2005205239.tif 000006